(57)【特許請求の範囲】
【請求項１】
鋼板をプレス加工し平面から見て正方形又は該正方形の一辺と同長の短辺を有する長方形をなすフロア用パネルであって、該パネルの四周に垂下した立壁を具備すると共に、少なくとも四隅部の上面をパネル外側へ向け下向きに傾斜した勾配面に形成したパネル隅部を有するフロア用パネルと、４枚の前記フロア用パネルの隅部を突合せ状態で支持するため溝部の中央に支持壁を立設した断面凹状の支持溝を平面から見て略十字状をなすように上面に形成すると共に、当該支持溝の交点の中心に窪みを形成し、かつ、下面側にベース部材と結合するための係止片を突出させた合成樹脂製のパネル支持部材と、該支持部材をその係止片を嵌入して上面に載置結合するための係止穴を上面に形成すると共に、前記支持部材の窪みに対応して上面中央にネジ穴が設けられた伏せた状態の略皿状をなす金属製のベース部材とから成る支持脚を備え、建物の床スラブ上に敷詰められる前記パネルの各隅部に対応して前記支持脚を配置し、配置した各支持脚の支持溝に各パネルの隅部を入れ、当該各パネル隅部の立壁を、前記支持溝の側面と支持壁の側面の間に挟持させると共に、各パネル隅部の勾配面を、前記パネル支持部材中心の前記窪みに先端を当てがってねじ込まれかつ前記ネジ穴に螺合して取付けられる皿ネジの頭部下面によって上面から前記ベース部材へ押圧緊締するようにしたことを特徴とするフリーアクセスフロア装置。
【請求項２】
皿ネジは、支持脚を介しその先端が床スラブに固定される長いネジである請求項１のフリーアクセスフロア装置。
【請求項３】
溝の中央に支持壁を立設した支持溝を上面に具備したパネル支持部材は、下面側に係止片を突出させた合成樹脂製のパネル支持部材により形成する一方、ベース部材は前記支持部材をその係止片を係止穴に嵌入すると共に、当該支持部材のずれ止め部を上面に突出形成した金属により形成した請求項１又は２のフリーアクセスフロア装置。
【請求項４】
支持壁はその壁の下方に行くに従って厚みを増したテーパ状断面を有する請求項１〜３のいずれかのフリーアクセスフロア装置。
【請求項５】
ベース部材は、その接地部の外周上に位置決めのためのマークを設けた請求項１〜４のいずれかのフリーアクセスフロア装置。
【発明の詳細な説明】
【０００１】
【発明の属する技術分野】
本発明はオフィス等の床をフリーアクセスフロア化するためのフリーアクセスフロア装置に関する。
【０００２】
【従来の技術】
フリーアクセスフロアは、建物の床の上にフロア用パネルを敷設して二重床構造に形成し、該二重床が形成する空間に電源用や通信用のケーブルなどを自由に引き回したり、空調用の配管を敷設したりすることができるところから、新築されるビルの床の殆んどはフリーアクセスフロア仕様であるが、建築時期が古い建物など、床がフリーアクセスフロア化されていない建物では床スラブを後からフリーアクセスフロア仕様にリニューアルすることが多い。
【０００３】
フリーアクセス化されていない床をフリーアクセスフロアに形成するには、床スラブ上にフリーアクセスフロア用のパネルを床スラブから浮かせて敷設するため、前記パネルの隅部を支持脚で支えているが、このため敷設したパネル面から天井までの高さが小さくならないように、パネルの厚さを出来るだけ小さくすると共に、高さが低目の支持脚を用いたフリーアクセスフロア装置が、特許第２７７８５３８号、特許第２８４２２５８号、特許第３０３５１１号、特開２０００−５４６０６号などとして数多く提案され、いくつかは実用にも供されている。
【０００４】
後から床スラブ上にフリーアクセスフロア用のパネルを敷詰めるタイプのフリーアクセスフロア装置は、敷設したパネルによるフロア面から天井までの高さが出来るだけ損なわれないようにするため、脚の高さ調節機構を設けずに全高を抑えて形成した据置きタイプの支持脚に、フロアパネルを上から載架支持させる型式であるため、脚に支持されたパネルの隅部が、床スラブの不陸やパネルに掛かる偏荷重によって浮上り易いという問題がある。また、従来のフリーアクセスフロア用のパネルとその支持脚は、用済み後の廃棄における環境保全性や再利用性を積極的に考慮したといえる材質，構造になったものは見当らない。
【０００５】
【発明が解決しようとする課題】
そこで本発明は、上記のように支持脚を既存の床スラブの上に置き、該支持脚の上にフロア用パネルを載置して支持させるいわゆる据置きタイプのフリーアクセスフロア装置における問題点、特に、支持脚に載置したフロア用パネルの浮上りを防止できる構造を具備したフリーアクセスフロア装置であって、用済み廃棄時における環境保全性や再利用性を積極的に考慮したフリーアクセスフロア装置を提供することを、その課題とするものである。
【０００６】
【課題を解決するための手段】
上記課題を解決することを目的としてなされた本発明フリーアクセスフロア装置の構成は、鋼板をプレス加工し平面から見て正方形又は該正方形の一辺と同長の短辺を有する長方形をなすフロア用パネルであって、該パネルの四周に垂下した立壁を具備すると共に、少なくとも四隅部の上面をパネル外側へ向け下向きに傾斜した勾配面に形成したパネル隅部を有するフロア用パネルと、４枚の前記フロア用パネルの隅部を突合せ状態で支持するため溝部の中央に支持壁を立設した断面凹状の支持溝を平面から見て略十字状をなすように上面に形成すると共に、当該支持溝の交点の中心に窪みを形成し、かつ、下面側にベース部材と結合するための係止片を突出させた合成樹脂製のパネル支持部材と、該支持部材をその係止片を嵌入して上面に載置結合するための係止穴を上面に形成すると共に、前記支持部材の窪みに対応して上面中央にネジ穴が設けられた伏せた状態の略皿状をなす金属製のベース部材とから成る支持脚を備え、建物の床スラブ上に敷詰められる前記パネルの各隅部に対応して前記支持脚を配置し、配置した各支持脚の支持溝に各パネルの隅部を入れ、当該各パネル隅部の立壁を、前記支持溝の側面と支持壁の側面の間に挟持させると共に、各パネル隅部の勾配面を、前記パネル支持部材中心の前記窪みに先端を当てがってねじ込まれかつ前記ネジ穴に螺合して取付けられる皿ネジの頭部下面によって上面から前記ベース部材へ押圧緊締するようにしたことを特徴とするものである。
【０００７】
上記の本発明フリーアクセスフロア装置においては、その構成に次の各態様をとることがある。即ち、まず、上記フロア用パネルは、その外周縁の適宜位置をパネルの内部側に凹陥させて配線挿通部に形成する。この構成により、当該パネルの上に設置されるタイルカーペットの境界部に通線口を位置付けることにより、該カーペットに通線のための切欠などを設けなくても前記タイルカーペット上に必要な配線をフロア下から引出すことが可能になる。
【０００８】
また、上記フリーアクセスフロア装置に用いる支持脚として、平面から見て略十字状をなすように溝の中央に支持壁を立設した断面凹状の支持溝を上面に形成すると共に、下面にベース部材との係止片を突設した再利用可能な合成樹脂製のパネル支持部材と、前記係止片をベース部材に設けた係止穴に嵌入して当該ベース部材上面に載置固定するようにした伏せた状態の略皿状をなす金属製のベース部材とによる２ピース構造の支持脚を形成し、前記金属製パネルを、その隅部の立壁を前記支持部材の支持溝に、該溝の側壁と支持壁の間に挟持させた状態で支持させるようにしたことにより、パネルとその支持部材の間で生じる両部材の衝接音が抑制され、しかも、このようにして支持されたパネルは、皿ネジによって各パネルの隅部を上面から押えつつ前記支持部材とベース部材とに緊締結合するから、床スラブの不陸やパネルに掛かる偏荷重によってパネル隅部がその支持部から浮上ることがない。
【０００９】
【発明の実施の形態】
次に本発明フリーアクセスフロア装置の実施の形態の一例について、図を参照しつつ説明するが、この説明に先立って、まず、各図面についての説明をする。
【００１０】
図１は本発明フリーアクセスフロア装置に使用する正方形のフロア用パネルの平面図、図２は図１のパネルの正面図、図３は長方形のフロア用パネルの平面図、図４は図３のパネルの正面図、図５は、図１，図３のパネルにおける一つの隅部の拡大平面図、図６は図３のパネルの長辺の中間部に形成した支持脚装着部、図７は図５，図６におけるＡ−A′矢視断面図、図８は図１〜図４のパネルに形成したビードの断面図、図９は本発明フリーアクセスフロア装置の支持脚におけるパネル支持部材の平面図、図10は図９のＡ矢視正面図、図11は図９のａ−a′矢視断面図、図12は図９のｂ−b′矢視断面図、図13は本発明フリーアクセスフロア装置の支持脚におけるベース部材の平面図、図14は図13のＡ矢視正面図、図15は図13のａ−a′矢視断面図、図16は図13のｂ−b′矢視断面図、図17は本発明フリーアクセスフロア装置の支持脚とフロア用パネルの関係を、左半を断面にして説明するための正面図、図18は本発明フリーアクセスフロア装置の設置状態の要部を例示した平面図、図19，図20はフロア用パネルの隅部と支持脚とを皿ネジで一体的に締結する状態を説明するための正断面図である。
【００１１】
図１〜図８において、１，２は本発明フリーアクセスフロア装置に使用するフロア用パネルで、パネル１は平面から見て正方形、パネル２は平面から見て前記パネル１の一辺を短辺とする長方形である。本発明フリーアクセスフロア装置は、必ず上記２種類のパネル１と２を使用しなければならない訳ではなく、敷設場所の平面形状などによっては、いずれか一方だけのパネル１又は２のみを用いることもあり得る。
【００１２】
図示した上記パネル１，２は、例えば厚さ２〜３mm程度の鋼板をプレス加工して形成したものであり、パネル１，２の周囲には上面1a，2aに対して略90度曲げて垂下させられた立壁３が形成されている。この立壁３の高さは、パネル１，２全体の立壁３を含む厚さを抑える趣旨で15mm程度に整えてあるが、立壁３の高さをどの程度にするかは任意である。また、パネル１，２の材質や加工法も、上記例は一例であって、本発明フリーアクセスフロア装置は、実施例の上記パネル１，２に限られるものではない。
【００１３】
上記パネル１，２のパネル立壁３は、各パネル１，２の四つの隅部Pcにおけるコーナーには形成されていない（図２，図４，図５参照）。これは各パネル１，２の隅部Pcにおける上面部材1a，2aのコーナーを、後述する支持脚Lsに装着するための約45度の下り勾配面Dfに形成するためである。この勾配面Dfは、長方形のパネル２においては、長辺の中間の縁部をこのパネル２の内部側に略半円状に凹陥させた支持脚Lsの装着部2bにも形成されている。これは、長方形のパネル２はその長辺の中間部が、正方形パネル１を２枚並べた場合の突合せ接合される隅部Pcに相当するからである。
【００１４】
４は上記パネル１，２の少なくとも一辺にパネル内部側へ逆台形状に凹陥するように形成した配線取出凹部、５は上記パネル１，２の上面に形成した浅い凹溝により平面略三角形状をなす補強用ビードであり、以上の構成を以て本発明フリーアクセスフロア装置に用いるフロア用パネル１，２の例を形成する。なお、配線取出凹部４は２辺以上に設けてもよく、また、補強用ビード５のパターンも、形成した配線取出凹部によるパネル１，２の強度低下を補完できるものであれば、図示した平面三角形状以外であってもよい。
【００１５】
上記の各フロア用パネル１，２は、床スラブＦの上に配置される支持脚によって各パネル１，２の少なくとも四隅Pcの部位の立壁３が下から支えられることにより、当該パネル１，２と床スラブＦとの間に配線用などに供される二重床空間を形成するので、以下に各パネル１，２を下から支える支持脚Lsの例について図９〜図20を参照しつつ説明する。
【００１６】
図９〜図12、並びに、図17において、６は、４枚のパネル１又は２の隅部Pcを突合せ状態で集合させたとき、各パネル１又は２の平面90度をなす隅部Pcを集合した突合せ状態で支持するため、ここでは成形加工により形成した合成樹脂製のパネル支持部材である。この支持部材６は、用済み後処理において環境保全性が高く、しかも、再利用が可能な合成樹脂、例えばポリプロピレンを使用する。
【００１７】
上記のパネル支持部材６は、図示した例では平面から見て円形をなし、その上面6aに平面から見て略十字状に配置された断面略凹状の支持溝7X，7Yが形成されていると共に、周縁に下向きの立壁８を具備して、その基本形態が形成されている。この支持部材６の平面形状は、例示した円形に限られず四角形等の多角形であってもよい。
【００１８】
上記支持溝7X，7Yは、それぞれ溝幅の略中央部に立壁状の支持壁9Xa，9Xb、9Ya，9Ybを具備すると共に、各支持壁9Xa〜9Ybに隣り合う外周側に、それぞれ下向きに垂下した形態の爪状をなす４本の係止片10X，10Yを具備して形成されている。前記の各支持壁4Xa〜4Ybは、下部に向けて肉厚が漸増するテーパ状断面に形成されている。また、各係止片10X，10Yは、この支持部材６の底壁に穴6aを設けて各係止片10X，10Yと前記底壁との接合線が縦向きになるように形成すると共に、各支持片10X，10Yの内外面に対し弾撥的に傾斜可能な弾性を付与し、かつ、各係止片10X，10Yの外面の中間部に係止用段部10aを設けて形成されている。更に、上記支持溝7X，7Yの交点7XYの中心には、後述する皿ネジのためのマーカとなる小さな窪み11が形成されている。
【００１９】
上記構成を具備したパネル支持部材６を上部に載架して当該部材６と支持されるベース部材12は、図13〜図16、並びに、図17に例示したように、次の構成を具備して形成されているので、以下に説明する。なお、本発明フリーアクセスフロア装置の支持脚Lsにおけるベース部材12は、用済み後廃棄における環境保全性やリサイクル性、或は、この部材７に要請される強度、並びに、そのための形状，構造による加工性に鑑み、金属材をプレス加工やダイキャスト加工によって形成したものであることが望ましい。
【００２０】
上記のベース部材12は、概ね皿乃至は椀を伏せたような形態で、その上面12aは上記支持部材６の立壁８の下端周縁の内面に形成した結合縁8aに合致する外径，形状の上部縁13aを有し、この縁13aから外側に拡がりつつ垂下する傾斜を与えた立壁状の周壁13が一体に形成され、該周壁13の下端にそれと一体の水平なフランジ部13bを有した基本形態に形成されている。13cはフランジ部13bに等ピッチで４個明けられた位置決め用の穴、13dは各穴13cの中間に刻印等により形成した位置決め用のマークである。ここで、ベース部材12の周壁13がなす平面形状は、上記のパネル支持部材６の平面形状に対応したものである。即ち、前記支持部材６が円形であれば周壁13がなす平面形状も円形であり、前記支持部材６が多角形であれば周壁がなす平面形状も同様の多角形である。
【００２１】
上記ベース部材12の上面12aには、その上に載置されるパネル支持部材６の４つの係止片10X，10Yが挿入され、各係止片10X，10Yの外面に形成した段部10aにおいて当該各係止片10X，10Yを係止する４個の係止穴14X，14Yが、上記４個の係止片10X，10Yに対応して形成されていると共に、各係止穴14Xと14Yの中間に位置した外周側に、載置されるパネル支持部材６における立壁８の内周面に当接される４個のずれ止め用の舌片15が立設されている。ここで、前記係止穴14X，14Yの周囲は、各係止片10X，10Yを前記穴14X，14Yに入れ易くするため、下面側に向けて凹状に窪ませた凹陥部14aに形成されている。また、ベース部材12の上面12aの中心には、前記支持部材６の中心に形成したマーカになる窪み11に対応してネジ穴16が設けられており、以上の上面12aからネジ穴16までの構成によりベース部材12の一例が形成されている。
【００２２】
上記の構成を具備したパネル支持部材６とこの部材６を上部に載置するベース部材12とは、パネル支持部材６の下面に突設された４個の係止片10X，10Yを、ベース部材12の上面12aに前記各係止片10X，10Y対応して形成された周囲に凹陥部14aを有する４個の係止穴14X，14Yに挿入してやると、各係止片10X，10Yは、その先端が各穴14X，14Yの周囲の凹陥部14aに案内されて確実に対応する穴14X，14Yに入ると共に、各係止片10X，10Yの係合用の各段部10aは、各係止穴14X，14Yの縁部を通過するとき、各係止片10X，10Yの弾性によって撓みつつ通過して各係止穴14X，14Yの裏面に弾撥的に係止される。これにより前記支持部材６はベース部材12の上に載った形態になって両部材６，12が結合一体化された支持脚Lsに形成される。前記両部材６，12の結合時、ベース部材12の上面12aに設けた４個の舌片15は、その外面が等間隔で支持部材６の立壁８の内周面に当接されるので、パネル支持部材６とベース部材12とは、水平方向，垂直方向、並びに、中心の垂直軸回りに相対的にズレることなく強固に一体化されたフリーアクセスフロア用の支持脚Ls（図17参照）に形成されるのである。ここで、合成樹脂製のパネル支持部材６は、その係止片10X，10Yが不測の原因で欠落したり破損されることがあっても、ベース部材12の上面に設けた舌片15がパネル支持部材６の立壁８をその内周面において支持しているので、当該支持部材６がベース部材12の上面から滑り落ちてパネルの支持が出来なくなるといった事態にはならない。本発明フリーアクセスフロア装置においては、上記支持脚Lsは、パネル支持部材６とベース部材12とを、合成樹脂又は金属の同一材料により当初から一体に形成した構造のものを用いることもある。
【００２３】
上記のように形成される本発明フリーアクセスフロア装置用の支持脚Lsは、図１〜図８により説明したフリーアクセスフロア用のパネル１，２の４枚を、それらの隅部Pcを突合せ集合した部分、或は、２枚のパネル１，２の隅部Pcの突合せ集合部分、若しくは、１枚のパネル１又は２における前記以外の隅部Pcの各立壁３の端部を、パネル支持部材６の支持溝7X，7Yに挿入し、該溝7X，7Yの各側壁と各支持壁9xa〜9Ybの壁面の間に挟持させた状態で支持する。なお、パネル２は前記四箇所の隅部Pcのほか、長辺の中間に形成された支持脚装着部2bにおいても支持される。この点は、以下の説明においても同じである。
【００２４】
各パネル１又は２の隅部Pcの支持においては、各隅部Pcにおける立壁３の端部は、支持溝7X，7Yの各側壁面と各支持壁9Xa〜9Ybの壁面の間に挟持され、かつ、各支持壁9Xa〜9Ybが下方に肉厚のテーパ状であること、及び、前記各パネル１又は２には、その上面から荷重がかかることとが相俟って、各パネル１又は２の隅部Pcがより強固に上記支持脚Lsにおけるパネル支持部材６に結合支持されることとなる。
【００２５】
上記形態の支持に加え、上記支持脚Lsの中心部に集合する各パネル１又は２の隅部Pcにおける下り勾配面Dfが、図19，図20に示すように、パネル支持部材６の中心の窪み11の真上に位置するので、その窪み11にタッピング用の皿ネジ17を当てがってねじ込むと、そのネジ17はベース部材12のネジ穴16に螺合してこのネジ17の皿状頭部17aの下面がパネル１又は２における隅部Pcの各勾配面Dfを上面から押圧することになり、これによって各パネル１又は２の隅部Pcは、上記の支持溝7X，7Yと支持壁9Xa〜9Ybによる上記の挟持作用と相俟って、強固に各支持脚Lsに結合支持されることとなる。なお、皿ネジ17に図19，図20のものより長いネジ（図示せず）を使用して、各パネル１又は２の隅部Pcを上記支持脚Lsを介して床スラブＦに固定するようにしてもよい。
【００２６】
上記のような各パネル１又は２に対する支持特性並びに結合特性を有する上記の支持脚Lsは、その構成によって図21に例示するように、パネル支持部材６同士をスタッキングしたり、図22に例示するように支持脚Ls同士をスタッキングして、支持脚Lsを部品又は完成品の状態でスペース効率のよい取扱いをすることができる。ここでは図示していないが、ベース部材12同士も上記と同様の趣旨でスタッキングすることができる。
【００２７】
即ち、パネル支持部材６同士のスタッキングは、上位の支持部材６の４個の係止片10X，10Yが下位の支持部材６の支持溝7X，7Yに丁度収まるのみならず、互に対面した４個の係止片10X，10Yの内面が各支持溝7X，7Yに立設された各支持壁9Xa〜9Ybをそれらの外周側から挟持するので、図21に示すように、各支持部材６の間に無駄な空間を形成することなく積層スタックできるのみならず、スタッキングした支持部材６の層が崩落することもなく、取扱い上便宜である。
【００２８】
また、パネル支持部材６とベース部材12とを結合一体化して組立てられた支持脚Ls同士のスタッキングにおいても、図22に示すように、下位のパネル支持部材６は上位のベース部材12の内側に殆んど無駄なスペースを形成することなく収まり、しかも、前述したように、４個の係止片5X，5Yの内面が各支持溝2X，2Yに設けられている各支持壁4Xa〜4Ybを外周側から挟持するので、スペース効率が良好であるのみならず、積層状態でそれが崩れ難い安定なスタッキングを実現できるのである。
【００２９】
更に、組立てられていた支持脚Lsを、パネル支持部材６とベース部材12とに分離するには、対向する少なくとも２本の係止片10X，10X（又は10Y，10Y）を手で掴んでその係止穴14X，14X（又は14Y，14Y）から離脱するように押上げると、残りの係止片10Y，10Y（又は10X，10X）もその弾性によって係止穴14Y，14Y（又は14X，14X）から容易に離脱させることができるので、本発明支持脚Lsは組立性のみならず、分解性においても取扱い易く、従って、支持部材６とベース部材12の分別廃棄やリサイクルが便利になる。
【００３０】
【発明の効果】
本発明フリーアクセスフロア装置は以上の通りであって、支持脚の上にフロア用パネルを載置して支持させるいわゆる据置きタイプのフリーアクセスフロア装置における問題点、特に、支持脚に載置したフロア用パネルの浮上りを防止できる構造を具備したフリーアクセスフロア装置を提供するために、鋼板をプレス加工し平面から見て正方形又は該正方形の一辺と同長の短辺を有する長方形をなすフロア用パネルであって、該パネルの四周に垂下した立壁を具備すると共に、少なくとも四隅部の上面をパネル外側へ向け下向きに傾斜した勾配面に形成したパネル隅部を有するフロア用パネルと、４枚の前記フロア用パネルの隅部を突合せ状態で支持するため溝部の中央に支持壁を立設した断面凹状の支持溝を平面から見て略十字状をなすように上面に形成すると共に、当該支持溝の交点の中心に窪みを形成し、かつ、下面側にベース部材と結合するための係止片を突出させた合成樹脂製のパネル支持部材と、該支持部材をその係止片を嵌入して上面に載置結合するための係止穴を上面に形成すると共に、前記支持部材の窪みに対応して上面中央にネジ穴が設けられた伏せた状態の略皿状をなす金属製のベース部材とから成る支持脚を備え、建物の床スラブ上に敷詰められる前記パネルの各隅部に対応して前記支持脚を配置し、配置した各支持脚の支持溝に各パネルの隅部を入れ、当該各パネル隅部の立壁を、前記支持溝の側面と支持壁の側面の間に挟持させると共に、各パネル隅部の勾配面を、前記パネル支持部材中心の前記窪みに先端を当てがってねじ込まれかつ前記ネジ穴に螺合して取付けられる皿ネジの頭部下面によって上面から前記ベース部材へ押圧緊締するようにしてフリーアクセスフロア装置を形成したので、フロア用のパネルを支持脚に強固に支持させることができる。特に、皿ネジを用いて各パネルの隅部を上面から押え込んで支持脚のパネル支持部に緊締取付けできるので、床スラブの不陸やフロアパネルに対する偏荷重によってパネルの隅部が支持脚から浮き上る事態を未然に防ぐことができる。
【００３１】
本発明フリーアクセスフロアにおいてフロア用のパネルは、その外周縁におけるタイルカーペットの継目に対応すると目される位置に、当該パネルの内部側に浅目に凹陥した配線挿通凹部を具備させたので、このパネルの上面を覆うタイルカーペットに特別な配線引出し用の加工をしなくても、その継目から上記配線挿通凹部を通した配線を床下からカーペット上に引出すことができることとなり、便利である。
【００３２】
一方、本発明フリーアクセスフロア装置の支持脚におけるパネル支持部は、その上面に十字状に形成した支持溝と該溝の中央に立設したテーパ状肉厚の支持壁とによって、例えば、４枚のパネル隅部を突合せ集合した状態の各立壁を挟持するので、各パネルにかかる垂直荷重によって前記テーパ状肉厚の支持壁と支持溝側壁による挟持力が高められて強固な支持を実現できる。
【００３３】
また、上記の支持脚は、それを構成するパネル支持部材とベース部材とを支持脚に組立てた状態でスタッキングすることができるので、その運搬，保管におけるスペース効率が高いのみならず、この支持脚の構成部材であるパネル支持部材とベース部材も、分解した状態で個々にそれら同士をスタッキングできるので、部品状態での運搬，保管におけるスペース効率も良好になる効果が得られる。
【００３４】
更に、上記支持脚は、構造が複雑なパネル支持部材を、金属製パネルとの衝接音を響かせない長所を持つ再利用可能な合成樹脂製とし、構造が簡潔なベース部材を強度に優れている金属製とする２ピース構造とすることにより、合成樹脂成形技術と金属加工技術の長所を活かしつつフリーアクセスフロア用の支持脚を合理的かつ低コストで製造することが可能になり、また、支持脚が２ピース構造であっても用済み後はいずれの部材も高い環境保全性を保ってリサイクル可能であるから、フロア用パネルが金属製であることと相俟って本発明フリーアクセスフロア装置はその用済み後の廃棄処分又は再利用のいずれの面でも従来品にない取扱い易さがある。
【図面の簡単な説明】
【図１】  本発明フリーアクセスフロア装置に使用する正方形のフロア用パネルの平面図。
【図２】  図１のパネルの正面図。
【図３】  長方形のフロア用パネルの平面図。
【図４】  図３のパネルの正面図。
【図５】  図１，図３のパネルにおける一つの隅部の拡大平面図。
【図６】  図３のパネルの長辺の中間部に形成した支持脚装着部。
【図７】  図５，図６におけるＡ−A′矢視断面図。
【図８】  図１〜図４のパネルに形成したビードの断面図。
【図９】  本発明フリーアクセスフロア装置の支持脚におけるパネル支持部材の平面図。
【図10】  図９のＡ矢視正面図。
【図11】  図９のａ−a′矢視断面図。
【図12】  図９のｂ−b′矢視断面図。
【図13】  本発明フリーアクセスフロア装置の支持脚におけるベース部材の平面図。
【図14】  図13のＡ矢視正面図。
【図15】  図13のａ−a′矢視断面図。
【図16】  図13のｂ−b′矢視断面図。
【図17】  本発明フリーアクセスフロア装置の支持脚とフロア用パネルの関係を、左半を断面にして説明するための正面図
【図18】  本発明フリーアクセスフロア装置の設置状態の要部を例示した平面図。
【図19】  フロア用パネルの隅部と支持脚とを皿ネジで一体的に締結する状態を説明するための正断面図。
【図20】  フロア用パネルの隅部と支持脚とを皿ネジで一体的に締結する状態を説明するための正断面図。
【図21】  支持脚におけるパネル支持部材を積層スタッキングした状態の正断面図。
【図22】  支持脚を積層スタッキングした状態の正断面図。
【符号の説明】
１                  正方形のフロア用パネル
２                  長方形のフロア用パネル
３                  パネルの立壁
４                  配線挿通用凹部
５                  補強用ビード
６                  パネル支持部材
7X，7Y              支持溝
８                  立壁
9Xa，9Xb，9Ya，9Yb  立壁状の支持壁
10a                 係止用段部
10X，10Y            係止片
11                  窪み
12                  ベース部材
13                  立壁状の周壁
14X，14Y            係止穴
15                  ずれ止め用の舌片
16                  ネジ穴
17                  皿ネジ
17a                 ネジの頭部
Pc                  パネルの隅部
Df                  パネル隅部の下り勾配面
Ｆ                  床スラブ
【図１】
0003880410.tif 000002
【図２】
0003880410.tif 000003
【図３】
0003880410.tif 000004
【図４】
0003880410.tif 000005
【図５】
0003880410.tif 000006
【図６】
0003880410.tif 000007
【図７】
0003880410.tif 000008
【図８】
0003880410.tif 000009
【図９】
0003880410.tif 000010
【図１０】
0003880410.tif 000011
【図１１】
0003880410.tif 000012
【図１２】
0003880410.tif 000013
【図１３】
0003880410.tif 000014
【図１４】
0003880410.tif 000015
【図１５】
0003880410.tif 000016
【図１６】
0003880410.tif 000017
【図１７】
0003880410.tif 000018
【図１８】
0003880410.tif 000019
【図１９】
0003880410.tif 000020
【図２０】
0003880410.tif 000021
【図２１】
0003880410.tif 000022
【図２２】
0003880410.tif 000023